(57)【要約】【課題】従来のロータリスイッチでは、長寿命で誤動作防止機能を備えるために、ロータリスイッチと併設して押ボタンスイッチの機能を設ける必要があり、構造が複雑であった。そこで、長寿命で誤動作防止機能を備えるとともに、構造が簡単なロータリスイッチを提供することを目的とする。【解決手段】ロータの回転操作によって電路の切換えを行うロータリスイッチであって、回転軸周方向に所定間隔ごとに形成された縦溝部と、弾性部材を介して配設された球体を備え、ロータの回転操作に応じて球体が縦溝部に弾接して切換節度が得られるロータリスイッチにおいて、縦溝部の略中央部に切換突起を設け、ロータの上下操作にともなって球体が縦溝部に沿って上下に摺動し切換突起を乗り越えて係合することによりロータを上方位置または下方位置に保持する構成とする。【選択図】図３
2010157388.tif 000002
【特許請求の範囲】
【請求項１】
ロータの回転操作によって電路の切換えを行うロータリスイッチであって、回転軸周方向に所定間隔ごとに形成された縦溝部と、弾性部材を介して配設された球体を備え、前記ロータの回転操作に応じて前記球体が前記縦溝部に弾接して切換節度が得られるロータリスイッチにおいて、前記球体及び前記縦溝部のいずれか一方は前記ロータに配設されるとともに他方は固定接片を備えたケース内に設けられ、前記ロータは前記ケース内で上下動が可能であって、それにともなって前記球体が前記縦溝部に沿って上下に摺動可能であって、前記縦溝部の略中央部に切換突起を設け、前記球体が前記切換突起を乗り越えて係合することにより前記ロータを上方位置または下方位置に保持し、該ロータが上方位置にあるときに回転操作が可能であり、下方位置にあるときに前記ロータ下面に設けられた可動接片が前記固定接片と接触するとともに前記ロータの回転を抑制することを特徴とするロータリスイッチ。
【請求項２】
前記ロータの下面に形成された係合凸部とケース内底面に形成された切欠部の係合により、前記ロータの回転を抑制することを特徴とする請求項１記載のロータリスイッチ。
【請求項３】
前記ケース内底面の中央に形成された軸受孔に弾性部材を挿設し、該弾性部材の付勢力により前記ロータを下方位置から上方位置に自動復帰することを特徴とする請求項１記載のロータリスイッチ。
【発明の詳細な説明】
【技術分野】
【０００１】
本発明は、回転操作によって接点の切換えを行うロータリスイッチに係り、長寿命で誤動作防止機能を備えたロータリスイッチに関するものである。
【背景技術】
【０００２】
従来の長寿命で誤動作防止機能を備えたロータリスイッチとして、スイッチ本体より突出して上下動する押棒を設け、この押棒の作動により固定接片と可動接片間を接触させるとともに押棒の回転を防止するものがある。（下記特許文献１）
【特許文献１】実開平７−４１９２７号
【発明の開示】
【発明が解決しようとする課題】
【０００３】
しかしながら、上記した従来のロータリスイッチは、ロータリスイッチに併設して押ボタンスイッチの機能が必要であった。このように、押ボタンスイッチの機能を設けるためには構造が複雑となり、それにともなって部品点数が増加し、組立工数やコストの削減の妨げとなっていた。
【０００４】
そこで本発明は、上記状況に鑑みて、長寿命で誤動作防止機能を備え、構造が簡単なロータリスイッチを提供することを目的とする。
【課題を解決するための手段】
【０００５】
本発明は、上記目的を達成するために、
〔１〕ロータの回転操作によって電路の切換えを行うロータリスイッチであって、回転軸周方向に所定間隔ごとに形成された縦溝部と、弾性部材を介して配設された球体を備え、前記ロータの回転操作に応じて前記球体が前記縦溝部に弾接して切換節度が得られるロータリスイッチにおいて、前記球体及び前記縦溝部のいずれか一方は前記ロータに配設されるとともに他方は固定接片を備えたケース内に設けられ、前記ロータは前記ケース内で上下動が可能であって、それにともなって前記球体が前記縦溝部に沿って上下に摺動可能であって、前記縦溝部の略中央部に切換突起を設け、前記球体が前記切換突起を乗り越えて係合することにより前記ロータを上方位置または下方位置に保持し、該ロータが上方位置にあるときに回転操作が可能であり、下方位置にあるときに前記ロータ下面に設けられた可動接片が前記固定接片と接触するとともに前記ロータの回転を抑制することを特徴とする。
〔２〕上記〔１〕記載のスイッチにおいて、前記ロータの下面に形成された係合凸部とケース内底面に形成された切欠部の係合により、前記ロータの回転を抑制することを特徴とする。
〔３〕上記〔１〕記載のスイッチにおいて、前記ケース内底面の中央に形成された軸受孔に弾性部材を挿設し、該弾性部材の付勢力により前記ロータを下方位置から上方位置に自動復帰することを特徴とする。
【発明の効果】
【０００６】
本発明によれば、次のような効果を奏することができる。
（１）回転操作時には可動接片と固定接片が摺動せず、押圧操作によりロータを下方位置に移動させたときにのみ可動接片が固定接片と接触するため接片の磨耗が軽減でき、長寿命化が可能。
（２）押圧操作によりロータが下方位置にあるときにはロータの回転操作を抑制するため、誤動作が防止できる。
（３）長寿命で誤動作防止機能を備えたにも拘わらず、構造が簡単であるため、部品点数が削減できる。
（４）部品点数が削減できるため、組立が容易であるとともにコストが削減できる。
【発明を実施するための最良の形態】
【０００７】
本発明は、ロータの回転操作によって電路の切換えを行うロータリスイッチであって、回転軸周方向に所定間隔ごとに形成された縦溝部と、弾性部材を介して配設された球体を備え、ロータの回転操作に応じて球体が縦溝部に弾接して切換節度が得られるロータリスイッチにおいて、球体及び縦溝部のいずれか一方はロータに配設されるとともに他方は固定接片を備えたケース内に設けられ、ロータはケース内で上下動が可能であって、それにともなって球体が縦溝部に沿って上下に摺動可能であって、縦溝部の略中央部に切換突起を設け、球体が切換突起を乗り越えて係合することによりロータを上方位置または下方位置に保持し、ロータが上方位置にあるときに回転操作が可能であり、下方位置にあるときにロータ下面に設けられた可動接片が固定接片と接触するとともにロータの回転を抑制する構成とする。よって、ロータの回転操作時には可動接片と固定接片は摺動せず、ロータを押圧し下方位置にあるときに可動接片が固定接片と接触するとともにロータの回転を抑制することが可能となる。
【実施例】
【０００８】
以下、本発明の実施例について、図面を参照しながら詳細に説明する。
【０００９】
図１は本発明の第一実施例を表すロータリスイッチの斜視図、図２は本発明の第一実施例を表すロータリスイッチの正面図、図３は本発明の第一実施例を表すロータリスイッチのロータが上方位置（回転操作可能時）にあるときの断面図、図４は本発明の第一実施例を表すロータリスイッチのロータが移動途中にあるときの断面図、図５は本発明の第一実施例を表すロータリスイッチのロータが下方位置（回転抑制時）にあるときの断面図、図６は本発明の第一実施例を表すロータリスイッチの切換子の斜視図、図７は本発明の第一実施例を表すロータリスイッチのロータの斜視図、図８は本発明の第一実施例を表すロータリスイッチのケースの平面図である。
【００１０】
これらの図において、１はロータ、２はマウント、３はケース、４は取付板である。ロータ１は、上部に操作部１ａが形成され、下部に胴体部１ｂが形成されており、胴体部１ｂの中央には回転軸と直交する方向に貫通する貫通横孔１ｃが形成され、貫通横孔１ｃにはコイルバネ６を介して２つのスチールボール７が挿設され、下面には係合凸部１ｄが形成されるとともに可動接片９が配設されている。ケース３は、内底面に固定接片（図示せず）を配設したプリント基板１０が埋設されており、可動接片９が固定接片と接触可能となるように開けられた丸孔３ａの周囲には切欠部３ｂが形成されている。また、ケース３には、プリント基板１０に配設された固定接片と接続された端子５が下方に突出するように埋設されており、切換子８がプリント基板１０の上方に内設されている。切換子８は筒状に形成され、内周面には回転軸周方向に所定間隔ごとに縦溝部８ａが形成され、縦溝部８ａの略中央部に切換突起８ｂが形成されている。
【００１１】
マウント２の上部からロータ１の操作部１ａを突出するように配設し、切換子８が内設されたケース３の開口部を覆うようにマウント２を配設する。このとき、ロータ１の胴体部１ｂが切換子８の内周部に内設されるとともに貫通横孔１ｃに挿設された２つのスチールボール７が切換子８の縦溝部８ａに収まるように配設する。そして、マウント２の上方から取付板４を配設し、取付板４とケース３を嵌合してロータリスイッチが完成される。
【００１２】
以上のように構成された本発明のロータリスイッチは、ロータ１の回転操作および上下操作が可能で各操作ごとにロータ１の位置が保持され、ロータ１の回転操作にともなってスチールボール７が縦溝部８ａに弾接することで切換節度が得られる。スチールボール７はロータ１の上下操作にともなって縦溝部８ａに沿って上下動が可能であり、切換突起８ｂを乗り越えて係合することによりロータ１を上方位置または下方位置で保持する。ロータ１が上方位置にあるとき、ロータ１は回転可能であり、所望のポジションに切換えが可能となる。ロータ１を所望のポジションに切換えが完了したとき、操作部１ａを押圧すると、スチールボール７が縦溝部８ａを摺動して下方に移動し、切換突起８ｂを乗り越えて係合し、ロータ１を下方へ付勢して状態を保持する。このとき、可動接片９が固定接片（図示せず）と接触するとともに、係合凸部１ｄが切欠部３ｂと係合することにより、ロータ１の回転が抑制される。そして、ポジションの切換えを行うときには、ロータ１を引っ張り上方位置へと移動させる。
【００１３】
このように、本実施例に示すロータリスイッチは、ポジションの切換えに応じて切換節度を得ることができ、切換節度を発生させる機構にロータ１の上下動を可能にするとともにロータ１の位置を保持する機構を設けたため、構造が簡単でありながら、長寿命で誤動作も防止できるという特徴を有している。また、構造が簡単であるため、部品点数が削減でき組立てが容易となり、組立工数やコストが削減できるという特徴を有している。
【００１４】
本実施例では、スチールボールをロータに配設し縦溝部を切換子に形成したが、ロータに縦溝部を形成しケースにスチールボールを配設してもよく、マウントを取付板でケースに嵌合しているが、マウントとケースを直接嵌合してもよい。また、ロータの操作部に操作を補助するためのツマミを取付けたり、切換えのポジション数は任意に変更してもよく、種々の方法が考えられる。
【００１５】
図９は本発明の第二実施例を表すロータリスイッチの断面図である。ケース３０内底面の中央に形成された軸受孔３０ｃにコイルバネ６１が挿設されおり、コイルバネ６１によりロータ１１は常に上方へ付勢されている。これにより、ロータ１１は押圧しているときにのみ下方位置へ移動し、押圧をやめるとコイルバネ６１の付勢力により上方位置に自動復帰するため、ロータ１１を押圧しているときにのみ可動接片９０が固定接片（図示せず）と接触する。
【００１６】
なお、本発明は上記の実施例に限定されるものではなく、本発明の趣旨に基づき種々の変形が可能であり、これらを本発明の範囲から排除するものではない。
【産業上の利用可能性】
【００１７】
本発明のロータリスイッチは、長寿命で誤動作防止機能を備えたロータリスイッチとして利用可能である。
【図面の簡単な説明】
【００１８】
【図１】本発明の第一実施例を表すロータリスイッチの斜視図である。
【図２】本発明の第一実施例を表すロータリスイッチの平面図である。
【図３】本発明の第一実施例を表すロータリスイッチのロータが上方位置（回転操作可能時）にあるときの断面図である。
【図４】本発明の第一実施例を表すロータリスイッチのロータが移動途中にあるときの断面図である。
【図５】本発明の第一実施例を表すロータリスイッチのロータが下方位置（回転抑制時）にあるときの断面図である。
【図６】本発明の第一実施例を表すロータリスイッチの切換子の斜視図である。
【図７】本発明の第一実施例を表すロータリスイッチのロータの斜視図である。
【図８】本発明の第一実施例を表すロータリスイッチのケースの平面図である。
【図９】本発明の第二実施例を表すロータリスイッチの断面図である。
【符号の説明】
【００１９】
１，１１        ロータ
１ａ            操作部
１ｂ            胴体部
１ｃ            貫通横孔
１ｄ            係合凸部
２，２０        マウント
３，３０        ケース
３ａ            丸孔
３ｂ            切欠部
３ｃ，３０ｃ    軸受孔
４，４０        取付板
５，５０        端子
６，６０，６１  コイルバネ
７，７０        スチールボール
８，８０        切換子
８ａ            縦溝部
８ｂ            切換突起
９，９０        可動接片
１０，１００    プリント基板
【図１】
2010157388.tif 000003
【図２】
2010157388.tif 000004
【図３】
2010157388.tif 000005
【図４】
2010157388.tif 000006
【図５】
2010157388.tif 000007
【図６】
2010157388.tif 000008
【図７】
2010157388.tif 000009
【図８】
2010157388.tif 000010
【図９】
2010157388.tif 000011